(57)【特許請求の範囲】
【請求項１】
開閉接触子、消弧装置、入力端子、出力端子及び過電流引外し素子を各極毎に備え、
前記開閉接触子を操作する開閉機構及び前記過電流引外し素子の動作の際に前記開閉機構を介して前記開閉接触子を開離させるトリップ機構を各極共通に備える多極回路遮断器において、
各極に共通の天井部分、各極に共通の底部、前記天井部分と前記底部とをつなぐ側壁、および前記側壁と平行であって前記天井部分と前記底部とをつなぐ各極相互間を隔離する隔離壁、とが、一体成形加工によって一体的に形成された消弧ケースを有し、
各極の前記開閉接触子および消弧装置が、前記各極ごとに隔離して前記消弧ケースに一括して収納されるとともに、前記開閉機構、前記過電流引外し素子および前記トリップ機構が、前記消弧ケースの外に配置されていることを特徴とする、多極回路遮断器。
【請求項２】
前記開閉機構が、前記消弧ケースの外面上に構築されていることを特徴とする、請求項１の多極回路遮断器。
【請求項３】
前記多極回路遮断器は、前記開閉接触子、前記消弧装置、前記消弧ケース及び前記開閉機構を含む開閉ユニットと、前記過電流引外し素子を合成樹脂成形絶縁物製のトリップユニットケースに収納したトリップユニットと、合成樹脂成形絶縁物製のカバーとを備え、
前記開閉ユニットと前記トリップユニットとを同一平面上に一列に配置して、前記カバーは前記開閉ユニットと前記トリップユニットとを覆うように該開閉ユニットとトリップユニットとに固定されている、請求項２の多極回路遮断器。
【請求項４】
前記合成樹脂成形絶縁物製カバーは、平面的に見て外形が略長方形の天井部と、当該天井部の四辺から前記消弧ケース及び前記トリップユニットケースに密着するように沿う側壁を含み、該合成樹脂成形絶縁物製カバーはその側壁において前記消弧ケースおよび前記トリップユニットケースのそれぞれの側壁に固定される、請求項３の多極回路遮断器。
【発明の詳細な説明】
【０００１】
【発明の属する技術分野】
本発明は、合成樹脂成形絶縁物製の外郭を有する多極回路遮断器に関する。
【０００２】
【従来の技術】
回路遮断器には、開閉接触子、開閉接触子を操作する開閉機構、過電流が流れたとき動作して開閉機構を介して開閉接触子を開離させるトリップ機構、消弧装置などを合成樹脂成形絶縁物製のケース内に収納しているものがある。
【０００３】
従来の回路遮断器の例が特開昭６３―１１９１２６号公報に開示されており、図２３はこの回路遮断器の側面から見た断面図である。この回路遮断器の、互いにねじで合体されるいずれも合成樹脂成形絶縁物製のベース１００及びカバー１０１とからなるケース内には、端子ベースを兼ねる固定側開閉接触子１０２、可動側開閉接触子１０３、可撓導電体１０４、後述するトリップユニット１０９に含まれるユニット導体１０５及び端子ベース１０６を含む主回路導電部並びに可動側開閉接触子１０３を操作する開閉機構１０７、過電流が流れたとき動作してラッチ機構１０８の係合を解消させて開閉機構を介して可動側開閉接触子１０３を固定側開閉接触子１０２から開離させるトリップユニット１０９及び消弧装置１１０を収納されている。
【０００４】
【発明が解決しようとする課題】
このような従来の回路遮断器にあっては、ベースとカバーを合体させているねじの強度や締め付け力に限度があるため、この回路遮断器が大きな短絡電流を遮断するときに発生する高い圧力のアークガスが、ベースとカバーの突合面に隙間を作りこの隙間から回路遮断器の側方に吹き出るため、遮断容量を大きくできないという問題があった。
【０００５】
また、この従来の回路遮断器は、アークガスがケース内部全体に広がるためケース全体を強固な構成にする必要がある上、トリップユニットもケース内に収納されているため大型で高価になるという問題もあった。
【０００６】
したがって、本発明の目的は、アークガスが側壁から吹き出ない遮断容量の大きい多極回路遮断器を提供することにある。
【０００７】
また、本発明の他の目的は、小型で安価な多極回路遮断器を提供することにある。
【０００８】
【課題を解決するための手段】
上記の問題を解決するために、請求項１の発明は、開閉接触子、消弧装置、入力端子、出力端子及び過電流引外し素子を各極毎に備え、開閉接触子を操作する開閉機構及び過電流引外し素子の動作の際に開閉機構を介して開閉接触子を開離させるトリップ機構を各極共通に備える多極回路遮断器において、各極に共通の天井部分、各極に共通の底部、天井部分と底部とをつなぐ側壁、および側壁と平行であって天井部分と底部とをつなぐ各極相互間を隔離する隔離壁、とが、一体成形加工によって一体的に形成された消弧ケースを有し、各極の開閉接触子および消弧装置が、各極ごとに隔離して消弧ケースに一括して収納されるとともに、開閉機構、過電流引外し素子およびトリップ機構が、消弧ケースの外に配置されていることとしている。
【０００９】
このように消弧ケースの天井部分と底部と側壁と隔離壁とが、一体成形加工によって一体的に形成されているため側壁には突き合わせ部分がなく、アークガスが回路遮断器の側面から吹き出すことがなく、さらに隔離壁によって隔離されるので、ある一極でアークガスが発生しても、別の極にその影響が及ぶことがなくなるうえ、製造も簡単である。また、開閉機構、過電流引外し素子およびトリップ機構が、消弧ケースの外に配置されているため、アークガスに耐える必要のある強固な消弧ケースを、開閉接触子と消弧装置とを収納できる大きさに限定することができる。なお、上記の消弧ケースは、合成樹脂成形絶縁物製として、矩形断面の形状を採用することが望ましい。
【００１２】
請求項２の発明は、請求項１の発明の多極回路遮断器において、開閉機構が、消弧ケースの外面上に構築されていることとしているため、アークガスに耐える必要のある強固な消弧ケースを開閉接触子と消弧装置を収納できる大きさに限定することができる。
【００１３】
請求項３の発明は、請求項２の発明の多極回路遮断器において、開閉接触子、消弧装置、消弧ケース及び開閉機構を含む開閉ユニットと、過電流引外し素子を合成樹脂成形絶縁物製のトリップユニットケースに収納したトリップユニットと、合成樹脂成形絶縁物製のカバーとを備え、開閉ユニットとトリップユニットとを同一平面上に一列に配置して、カバーは開閉ユニットとトリップユニットとを覆うように開閉ユニットとトリップユニットとに固定されることとしている。
【００１４】
このような構成により、開閉ユニットと過電流引外しユニットを別々に組み立てて双方を結合するだけで簡単に回路遮断器を製作でき、定格電流の相違などにより互換性のある複数種のユニットを有する場合、一旦両ユニットを結合した後の取り替えも容易にできる。また、アークガスに耐える強度の必要なケースは消弧ケースだけでよくトリップユニットケースやカバーは弱い強度のものでよい。さらに、消弧ケース、開閉機構及びトリップユニットケース全部を収納する大きな成形品も必要でなく、全体寸法を小さくできる。
【００１５】
請求項４の発明は、請求項３の発明の多極回路遮断器において、合成樹脂成形絶縁物製カバーは、平面的に見て外形が略長方形の天井部と当該天井部の四辺から消弧ケース及びトリップユニットケースに密着するように沿う側壁を含み、合成樹脂成形絶縁物製カバーはその側壁において消弧ケースおよびトリップユニットケースのそれぞれの側壁に固定されることとしているため、カバーによって両ユニットの結合性が強化される。
【００１８】
【発明の実施の形態】
本発明の実施の形態を図１ないし図２０で示される実施例によって説明する。図１ないし図２０で示される実施例の回路遮断器は３極型であって、開閉ユニット、トリップユニット及び結合された両ユニットを覆うカバーを有しており、図２はこの実施例の回路遮断器全体の正面図、図１は図２の略Ａ−Ａから見た断面図、図３は外観側面図、図４は図２の略Ｂ−Ｂから見た断面図であって左極は後述する消弧装置９の図示を省略した図である。
【００１９】
開閉ユニットは、図１ないし図１４に図示されており、その構成を主として図１、図４、図５、図６、図７、図１２及び図１４によって説明する。開閉ユニットは、合成樹脂成形絶縁物製の消弧ケース１、消弧ケース１の内部に収納された開閉接触子と消弧装置及び消弧ケース１の外側に構築された開閉機構を有している。
【００２０】
消弧ケース１は、底面１ａと天井１ｂと両側壁１ｃと二つの隔離壁１ｄが一体成形加工により形成されており、側面から見たとき、その天井の左部分が低く中間部分が傾斜をもって高くなり右側部がより高い形状となっている。二つの縦方向の隔離壁１ｄはこの中間部と右側部を三つの空間に分割している。それぞれの空間には、両端部にそれぞれ接点２及び端子部３ａを有する固定接触子３、両端部にそれぞれ接点４及び可撓リード５とを有する可動接触子６並びに絶縁板７に保持された複数の磁性板８を有する消弧装置９が収納されている。各空間の右端の開口部は、消弧ケース１の底面１ａから延びる延長面上に装着された合成樹脂成形絶縁物製の端子ベース１０によってふさがれている。端子ベース１０は固定接触子３の端子部３ａを保持するブロック部分１０ａ及び壁部分１０ｂを有し、壁部分１０ｂには端子貫通孔１０ｃ及び排気孔１０ｄが形成されている。
【００２１】
可動接触子６は、３極共通の合成樹脂成形絶縁物製のクロスバー１１の腕１１ａ上に軸１２によって回転自在に保持されるとともにクロスバー１１の壁との間に設けられたばね１３によって時計方向に付勢されている。可撓リード５の他端にはリード端子１４が接続されており、各極のリード端子１４を収納するリード端子ベース１５は、合成樹脂成形絶縁物製であってリード端子１４の収納部分にはナット１６をはめ込む六角形の窪みが形成されている。クロスバー１１は、両端に円柱形状の支持部１１ｂを有し、支持部１１ｂが消弧ケース１の両側壁１ｃに形成されているＵ字状の溝１ｅとリード端子ベース１５に形成された円弧状の凹部との間に挟まれることによって回転自在に保持されている。
【００２２】
前述した消弧ケース１の側面から見たときの中間部の天井の傾斜は可動接触子６及びクロスバー１１の回転角度に応じた角度であり、右側部の天井の高さは遮断性能を確保するための最小の高さ（本実施例の場合は、消弧装置９を収納できる最小の高さとなっている。）となっており、消弧ケース１の大きさはできる限り小さくされている。
【００２３】
クロスバー１１を回転させる開閉機構は、消弧ケース１の中央極部分の両側壁に沿って設けられた一対のフレーム１７上に構築されている。この開閉機構にはトグルリンク機構が採用されており、軸１８によって互いに回転自在に連結されたそれぞれ一対のリンク１９とリンク２０と、いずれもフレーム１７上に回転自在なるように設けられたハンドルレバー２１、トリップレバー２２、トリップレバー２２の時計方向の回転を阻止するフック２３及びフック２３の反時計方向の回転を阻止するラッチ２４と、軸１８とハンドルレバー２１との間に取り付けられたばね２５と、ハンドルレバー２１の角に差し込まれた合成樹脂成形絶縁物製のハンドル２６とを有している。
【００２４】
ハンドルレバー２１はその両腕がフレーム１７と同じ平面内を移動するようにコ字状に折り曲げられて形成され、その両腕の円弧状端部２１ａがフレーム１７に形成された切欠の円弧状凹部１７ａにばね２５の力によって押し付けられている。トリップレバー２２はその両腕がフレーム１７の内側に隣接する面を移動するようにコ字状に折り曲げられて形成され、その両腕の円弧状にカールしたカール端部２２ａが一対のフレーム１７の対向面に形成された円柱状の突起１７ｂにはめ込まれている。一対のリンク１９はトリップレバー２２の腕と同じ平面内を移動するように配置されており、その円弧状に形成された円弧状端部１９ａがトリップレバー２２の両腕に形成された切欠の円弧状凹部２２ｂにばね２５の力によって押し付けられ、一対のリンク２０は軸２７によって回転自在にクロスバー１１と連結されている。
【００２５】
図１２はフレーム１７の外面に沿った面から見たこの開閉機構の一部を示しており、その両脚２３ａがフレーム１７に形成された三角形の孔１７ｃに配置されているフック２３及びその両脚２４ａがフレーム１７に形成されたV字形の切欠１７ｄに配置されているラッチ２４は、ばね２８の力によってそれぞれ時計方向及び反時計方向に付勢されている。
【００２６】
開閉ユニットは、図５及び図６に示されるように組み立てられる。図５において、前述したように開閉機構の部品が一対のフレーム１７上に仮組み立てされ、クロスバー１１の支持部１１ｂが消弧ケース１のＵ字状の溝１ｅにはめこまれるとともにフレーム１７が消弧ケース１の中央極部分の両側に形成された溝１ｆにはめこまれるように仮組み立て品が消弧ケース１に装着される。このとき、図１２に示されているように、リード端子ベース１５は、その突起１５ａがフレーム１７に形成された切欠１７ｅと噛み合うように組み込まれることによって固定的に装着されている。このように装着された仮組み立て品のフレーム１７が消弧ケース１の隔離壁１ｄを介してねじ２９で固定される。
【００２７】
さらに、図６において、各極の固定接触子３と消弧装置９が消弧ケース１の右側から挿入され、消弧ケース１の底面１ａの延長面上に端子ベース１０が装着される。端子ベース１０の装着は、図７に示すように、端子ベース１０をやや傾けて消弧ケース１の延長面に形成されている２個の丸孔１ｇに端子ベース１０の底部に形成されている突起１０ｅをはめ込みながら端子貫通孔１０ｃに固定接触子３の端子部３ａを挿入し、鎖線で示されているように端子ベース１０を垂直にして消弧ケース１にはめこむ。そして、ブロック部分１０ａと端子部３ａとの間に端子ナット３０を装着し、端子ねじ３１を取り付ける。なお、端子ベース１０の突起１０ｅは上部に通じる孔を有し、この孔にはこの実施例の回路遮断器を取り付けるときのねじが挿通されるため、後述するカバー４８と端子ベース１０と消弧ケース１が一緒に固定されることとなる。
【００２８】
このように構成された開閉ユニットについては、以下に説明するように開閉ユニット単独で開路、閉路、トリップ、リセット操作をすることができる。なお、図８、図９、図１０及び図１１は、それぞれ閉路状態、開路状態、トリップ状態及びリセット操作状態を示す側面断面図である。図１２及び図１３は手前側のフレーム１７の外側面から見た断面のそれぞれ閉路状態及びトリップ状態の部分図であり、図１４はハンドル２６を省略して図示した開路状態にあるこの開閉ユニットの正面図である。
【００２９】
図８に示されている閉路状態において、ばね２５の力によりその円弧状端部２１ａを中心として時計方向に付勢されているハンドルレバー２１の回転は、フレーム１７の縁に接して阻止されている。ばね２５の力により軸１８及びリンク１９を介してフレーム１７の突起１７ｂの周りを時計方向に付勢されているトリップレバー２２は、そのラッチ部２２ｃとフック２３のラッチ受部２３ｂとの係合によってばね２８の力に抗してフック２３を反時計方向に付勢している。そして、この付勢によってフック２３のラッチ部２３ｃとラッチ２４のラッチ受部２４ｂを介してばね２８の力に抗してラッチ２４が時計方向に付勢される。このラッチ２４の回転がフレーム１７の切欠１７ｄのＶ字の辺によって阻止されているため、フック２３及びトリップレバー２２の回転も阻止された状態となっている。一方、ばね２５の力により軸１８は右方向に付勢されているが、リンク２０とリンク１９が略一直線の状態でリンク１９の下端部がトリップレバー２２のカール端部２２ａに押し付けられて停止し、クロスバー１１が時計方向に回転した状態で接点２と接点４が接触している。
【００３０】
開路操作は閉路状態にある回路遮断器のハンドル２６を反時計方向に回転することによって行われる。この回転によりばね２５の力の作用線がリンク１９の円弧状端部１９ａを右から左へ移動したとき、軸１８が左方向に移動しリンク２０とリンク１９がく字状に折れ曲がる。その結果、クロスバー１１が反時計方向に回転して接点を開離させた後消弧ケース１の図示していない部分に接してその回転が停止し、ハンドルレバー２１の回転もその折曲部２１ｂがトリップレバー２２に接して停止した図９の開路状態となる。
【００３１】
閉路操作は開路状態ある回路遮断器のハンドル２６を時計方向に回転させることによって行われる。この回転により、ばね２５の作用線がリンク１９の円弧状端部１９ａを左から右へ移動し、リンク１９とリンク２０とを伸直させながら軸１８が右方向へ移動するためクロスバー１１が時計方向に回転し図８の閉路状態となる。
【００３２】
トリップ動作は閉路状態においてラッチ２４が反時計方向に回転することによって実現する。この回転によってラッチ２４とフック２３との係合及びフック２３とトリップレバー２２との係合が解消し、トリップレバー２２がフレーム１７の図１４に示されている折曲部１７ｆに接するまでハンドルレバー２１の折曲部２１ｂを押しながら時計方向へ回転する。このとき、クロスバー１１を反時計方向に回転させながらリンク１９とリンク２０が共に上方へ移動し、接点が開離した後クロスバー１１が消弧ケース１に接してその回転が停止した図１０及び図１３のトリップの状態となる。
【００３３】
リセット操作はトリップ状態にある回路遮断器のハンドル２６を反時計方向に回転させることによって行われる。この回転により、ハンドルレバー２１の折曲部２１ｂに押されてトリップレバー２２が反時計方向に回転し、その肩部２２ｄの移動に追随してフック２３が時計方向に回転しラッチ２４も反時計方向に回転して、図１１のごとくトリップレバー２２とフック２３が係合可能な状態となる。この状態でハンドル２６を自由状態にするとトリップレバー２２とフック２３及びフック２３とラッチ２４が係合した図９の開路状態となる。
【００３４】
トリップユニットは、主として図１及び図１５ないし図１８に示されているように、合成樹脂成形絶縁物製のトリップユニットケース３２内に構築され、それぞれ各極毎に備えられる主回路導電部であるヒーター３３及び端子３４、端子ねじ３５、バイメタルトリップ素子及びインスタントトリップ素子並びに３極に共通に備えられる回転自在のトリップ軸３６及びラッチ軸３７を有している。
【００３５】
バイメタルトリップ素子は、図１に示されているようにヒーター３３の逆Ｕ字状の屈曲部に根元が取り付けられたバイメタル３８を有し、過電流が流れたときヒーター３３において発生するジュール熱によってバイメタル３８が徐々に左方向に湾曲し、所定時間の後、その先端がトリップ軸３６の腕３６ａに取り付けられたピン３９を押して図示されていないばねによって時計方向に付勢されているトリップ軸３６を反時計方向に回転させる。
【００３６】
インスタントトリップ素子は、図１に示されているようにヒーター３３に取り付けられた固定コアー４０と軸４１に回転自在に設けられたコ字状に曲げられている可動コアー４２と、可動コアー４２を反時計方向に付勢するばね４３を有し、ばね４３の付勢力を超える電磁吸引力を発生する電流がヒーター３３に流れたとき瞬時に可動コアー４２が時計方向に回転しその先端がトリップ軸３６の下部の腕３６ｂを押してトリップ軸３６を反時計方向に回転させる。
【００３７】
ラッチ軸３７は、ラッチ腕３７ａ、開閉機構トリップ腕３７ｂ、二つのトリップ指示腕３７ｃ及びトリップ装置リセット腕３７ｄとを有するとともに、ばね４４によって図１において反時計方向に付勢されており、ラッチ腕３７ａがトリップ軸３６に設けられたラッチ受け３６ｃと係合しその回転が阻止されている。さらに、トリップユニットケース３２の前面壁３２ａにはリセットレバー４５が軸４６によって回転自在に設けられ、リセットレバー４５の切欠部とラッチ軸に偏心して設けられたピンとが噛み合うように組み合わされているため、リセットレバー４５とラッチ軸３７とは互いに一方が回転したとき他方も回転するようになっている。
【００３８】
このような、トリップユニットの動作について説明する。なお、図１７はトリップしていない状態を示している図１６のＣ−Ｃから見た断面図であり、図１８はトリップ後の状態を示している。インスタントトリップ素子又はバイメタルトリップ素子が動作してトリップ軸３６が反時計方向に回転すると、ラッチ腕３７ａとラッチ受け３６ｃとの係合が解消してラッチ軸３７が反時計方向に回転し、開閉機構トリップ腕３７ｂの先端がトリップユニットケース３２の前面壁３２ａから突き出るとともにリセットレバー４５が時計方向に回転する。
【００３９】
トリップユニットをリセットする操作は、ばね４４の力に抗して手でリセットレバー４５を反時計方向に回転することによって実現する。この回転によりラッチ軸３７が時計方向に回転し、ラッチ腕３７ａとラッチ受け３６ｃが係合可能な状態となってからリセットレバー４５を自由状態にするラッチ軸３７が反時計方向に回転し双方が係合したリセット状態となる。
【００４０】
以上説明したように、この回路遮断器は、開閉ユニットと結合することなくトリップユニット単独でインスタントトリップ素子やバイメタルトリップ素子の動作調整や動作確認をすることができる。
【００４１】
次に、図１ないし図４、図１９及び図２０において、以上のように構成された開閉ユニットとトリップユニットの結合について説明する。トリップユニットケース３２には、傾斜した先端部を有する平面部３２ｂと平面部３２ｂに設けられた各極ごとのＵ字状のブロック部分３２ｃが形成されている。このブロック部分３２ｃの上端部分にヒーター３３の端部３３ａが位置し、ブロック部分３２ｃの両脚の間であってヒーター３３の端部３３ａと平面部３２ｂとの間に六角穴付のねじ４７が装着され、ねじ４７を操作する工具用の小さい貫通孔３２ｄが平面部３２ｂに形成されている。
【００４２】
両ユニットの結合は、図１において、ヒーター３３の端部３３ａとリード端子１４が重なるとともに平面部３２ｂの傾斜面と消弧ケース１の底部左端の傾斜面が重なるように両ユニットを組み合わせて、裏面からねじ４７をまわしてナット１６と共同してリード端子１４と端部３３ａを接続固定するだけでよい。
【００４３】
このように結合された両ユニットは、図１９に示されている成形絶縁物製のカバー４８でよって覆われており、このカバーの正面部分の四辺から垂直方向に延びる壁によって両ユニットの結合が強化されている。すなわち、図１に示されているようにカバー４８の右端の垂直壁４８ａは密着するように端子ベース１０の壁部分１０ｂに沿って端子部３ａ方向に延び、左端の垂直壁４８ｂは密着するようにトリップユニットケース３２の側壁の端縁に沿って端子３４方向に延びているため、左右方向の結合性が強化されている。さらに、図１、図３、図５、図１９及び図２０などの図に示されているように、カバー４８の正面部分の両側縁からは側壁４８ｃが密着するようにトリップユニットケース３２及び消弧ケース１の側壁に沿って延び、カバー４８が側壁４８ｃの下縁部に形成された複数の方形の穴４８ｄと消弧ケース１及びトリップユニットケース３２の双方に形成されたそれぞれ複数の突起１ｈ及び突起３２ｅとをはめ合わせることによって固定されているため、回路遮断器の巾方向並びに図３において左右方向及び上下方向の結合が強化されている。カバー４８の側壁４８ｃは比較的薄く形成され弾性を有しているため、上記のはめ合わせ作業は容易に行うことができるうえ、はめ合わせた後容易に外れることもない。しかし、カバー４８をより確実に固定するため、図３及び図３のＤ−Ｄから見た断面図である図２０（ａ）に示されているように、図２０（ｂ）に斜視図で示されている断面がＨ字状の固定金具４９がカバー４８の側壁４８ｃの下縁に形成されたスリット部分とトリップユニットケース３２の外壁にスリットが形成された袋溝３２ｆの外壁を挟むように装着されている。同様な固定金具はカバー４８と消弧ケース１との間にも設けられている。
【００４４】
なお、カバー４８の正面には中央極部分にハンドル２６が突き出る開口部４８ｅが形成され、端極部分には内部附属品を収納するための窪み４８ｆが形成されており、カバー４８には図３に鎖線で示されているごとくヒンジ状に開閉できる窪み４８ｆを覆う補助カバー５０が設けられている。
【００４５】
このように結合された回路遮断器の操作及び動作について説明する。なお、開路操作及び閉路操作は、前述の開閉ユニット単独の動作と同様であるためここでは説明を省略する。
【００４６】
前述のごとくバイメタルトリップ素子やインスタントトリップ素子によってトリップユニットが動作したときは、トリップユニットは図１５のごとくラッチ軸３７の開閉機構トリップ腕３７ｂがトリップユニットケース３２の前面壁３２ａから突き出る。このときのトリップユニットと直接関連する開閉ユニットの部材であるラッチ２４が図１７及び図１８に鎖線で示されており、そのトリップ腕２４ｃが開閉機構トリップ腕３７ｂに押されてラッチ２４が反時計方向に回転するため開閉ユニットがトリップする。
【００４７】
リセット操作は、図１８に鎖線で示されているように、トリップ状態においてハンドル２６を反時計方向に回転させることによって行われる。この操作により、ハンドル２６の左端部２６ａがリセットレバー４５のリセット縁４５ａを押してリセットレバー４５を反時計方向に回転させてリセット可能な状態となり、ハンドル２６を自由状態にすると前述のごとく開閉ユニットと共にトリップユニットもリセットされる。
【００４８】
上述したこの実施例の回路遮断器は、一般に電流容量に応じて互換性のある複数種類用意されるトリップユニットと各トリップユニットに共通の開閉ユニットとを別々に在庫しておいて、注文に応じて双方を簡単に結合するだけで完成させることができる。また、一旦完成した回路遮断器のトリップユニットを変更する場合でも、ねじ４７をゆるめ、トリップユニット部分の固定金具４９を取り外し、カバー４８の方形の孔４８ｄとトリップユニットケース３２の突起３２ｅの噛み合わせを解消させて既設のトリップユニットを開閉ユニットから取り外し、新しいトリップユニットを逆の方法で取り付けるだけでよい。
【００４９】
上述の実施例の底面、天井、両側壁及び隔離壁が一体成形された消弧ケースとは異なり、図２１及び図２２に示されるような、上下に分割できる上側部材と下側部材とを含む類似構造の多極回路遮断器がある。図２１（ａ）は上側部材と下側部材とを組み合わせた正面図、図２１（ｂ）は図２１（ａ）のＥ-Ｅから見た断面図、また、図２２はそれらの分解斜視図である。この消弧ケースは、ともに合成樹脂成形絶縁物製の下側部材６０及び上側部材６１によって構成される。下側部材６０は底面６０ａ、両側壁６０ｂ及び極間の隔離壁に相当する位置に底面６０ａから立ち上がっている補助隔離壁６０ｄを有する。上側部材６１は天井６１ａ、両側壁６１ｂ、排気孔を有する壁６１ｃ、隔離壁６１ｄ及び隔離壁６１ｄに形成された溝６１ｅを有している。この消弧ケースは、上側部材６１の側壁６１ｂが下側部材６０の側壁６０ｂの内側に密着するように、かつ、上側部材６１の側壁６１ｂの溝６１ｅと下側部材６０の補助隔離壁６０ｄとが噛み合うように組み合わされている。このような消弧ケースは、上側部材及び下側部材の両側壁が互いに重なっているため、アークガスが側面から吹き出すことがない。また、極間の隔離壁と補助隔離隔離壁とが重なっているため、互いに隣り合う極にアークガスが流れ込むこともない。なお、このようにして組み合わされた消弧ケースには、前述の実施例と同様に合成樹脂成形絶縁物製のカバー６２を装着することができる。
【００５０】
上記に、本発明の実施の形態について説明を行ったが、上記に開示された本発明の実施の形態は、あくまでも例示であって、本発明の範囲は上記の発明の実施の形態に限定されるものではない。本発明の範囲は、特許請求の範囲の記載によって示され、さらに特許請求の範囲の記載と均等の意味および範囲内でのすべての変更を含むことが意図される。
【００５１】
【発明の効果】
本発明は、以上説明した形態で実施され、以下に記載されるような効果を奏する。
【００５２】
消弧ケースを天井と底面と天井と底面をつなぐ側壁とが内圧によって隙間を生じないように構成されているためアークガスが側面から吹き出すことがなく、遮断容量を大きくできる。また、極間を隔離する隔離壁を有するので、一つの極で発生するアークガスが他の極に影響を及ぼすことがない。そして、開閉機構が消弧ケースの外に構築されているため、強固に形成される必要のある消弧ケースを最小の大きさにすることができる。
【００５３】
さらに、構成部材が結合及び分離が自在の開閉ユニットとトリップユニットとに組み込まれ、両ユニットを覆うカバーを有しているため、開閉ユニットと過電流引外しユニットを別々に組み立てて双方を結合するだけで簡単に回路遮断器を製作できる。さらに、大きい強度の必要なケースは小型の消弧ケースだけでよい。また、消弧ケース、開閉機構及びトリップユニットケース全部を収納する大きな成形品も必要でなく、全体寸法を小さくできる。
【００５４】
また、合成樹脂成形絶縁物製カバーは、消弧ケース及びトリップユニットケースに密着するように沿う側壁を含んで形成されているため、当該合成樹脂成形絶縁物カバーによって両ユニットの結合性が強化される。
【図面の簡単な説明】
【図１】  本発明による回路遮断器の一実施例の側面断面図である。
【図２】  図１の回路遮断器の外観正面図である。
【図３】  図１の回路遮断器の外観側面図である。
【図４】  図１の回路遮断器の右方から見た部分的な断面図である。
【図５】  図１の回路遮断器の開閉機構部分の分解斜視図である。
【図６】  図１の回路遮断器の消弧空間部分の分解斜視図である。
【図７】  図１の回路遮断器の端子ベースの取付方法を説明する図である。
【図８】  図１の回路遮断器の開閉ユニットの閉路状態の側面断面図である。
【図９】  図１の回路遮断器の開閉ユニットの開路状態の側面断面図である。
【図１０】  図１の回路遮断器の開閉ユニットのトリップ状態の側面断面図である。
【図１１】  図１の回路遮断器の開閉ユニットのリセット操作中の側面断面図である。
【図１２】  図８とは異なる切り口から見た部分側面断面図である。
【図１３】  図８とは異なる切り口から見た部分側面断面図である。
【図１４】  図９の状態の正面図である。
【図１５】  図１の回路遮断器のトリップユニットの外観斜視図である。
【図１６】  図１５の平面図である。
【図１７】  図１５の側面断面図である。
【図１８】  図１５の側面断面図である。
【図１９】  カバーの斜視図である。
【図２０】  カバーの固定用金具を説明する図である。
【図２１】  第１実施例と類似の消弧ケースを説明する図である。
【図２２】  第１実施例と類似の消弧ケースを説明する図である。
【図２３】  従来の多極回路遮断器を示す側面断面図である。
【符号の説明】
１  消弧ケース、３  固定接触子、５  可撓リード、６  可動接触子、９  消弧装置、１０  端子ベース、１１  クロスバー、１３，２５，４３，４４  ばね、１４  リード端子、１５  リード端子ベース、１７  フレーム、１９，２０  リンク、２１  ハンドルレバー、２２  トリップレバー、２３  フック、２４  ラッチ、２６  ハンドル、２９，４７  ねじ、３２  トリップユニットケース、３３  ヒーター、３４  端子、３６  トリップ軸、３７  ラッチ軸、３８  バイメタル、４０  固定コアー、４２  可動コアー、４５  リセットレバー、４８  カバー、４９  固定金具、５０  補助カバー、６０  下側部材、６１  上側部材、６２  カバー。
【図１】
0003843208.tif 000002
【図２】
0003843208.tif 000003
【図３】
0003843208.tif 000004
【図４】
0003843208.tif 000005
【図５】
0003843208.tif 000006
【図６】
0003843208.tif 000007
【図７】
0003843208.tif 000008
【図８】
0003843208.tif 000009
【図９】
0003843208.tif 000010
【図１０】
0003843208.tif 000011
【図１１】
0003843208.tif 000012
【図１２】
0003843208.tif 000013
【図１３】
0003843208.tif 000014
【図１４】
0003843208.tif 000015
【図１５】
0003843208.tif 000016
【図１６】
0003843208.tif 000017
【図１７】
0003843208.tif 000018
【図１８】
0003843208.tif 000019
【図１９】
0003843208.tif 000020
【図２０】
0003843208.tif 000021
【図２１】
0003843208.tif 000022
【図２２】
0003843208.tif 000023
【図２３】
0003843208.tif 000024